(57)【要約】【課題】  カメラ付きドアホン装置とファクシミリ通信装置を接続可能とし、カメラの撮影した映像を確認しながらドアホン装置と通話を行なうことができるようにする。【解決手段】  カラーカメラおよび白黒カメラのどちらにも対応可能とし、ドアホン装置と音声の通話だけでなく、カメラからの映像信号（訪問者）をファクシミリ通信装置の表示部に表示することを可能とした。さらにファクシミリ通信装置本体の記憶部にカメラからの映像信号を記憶することも可能にし、記録部にて表示された映像を印字することも可能な構成とした。【選択図】  図１
2007088598.tif 000002
【特許請求の範囲】
【請求項１】
カラーカメラ付きドアホン装置と接続手段を持ち、前記カラーカメラ付きドアホンからのカラー映像信号を処理する信号処理手段を持ち、前記信号処理手段で処理された信号をファクシミリ通信装置の表示部に表示することを特徴としたファクシミリ通信装置。
【請求項２】
前記カラーカメラ付きドアホン装置に代わって白黒カメラ付きドアホン装置とも接続可能な手段を持ち、この白黒カメラ付きドアホンからの映像信号をも処理可能な信号手段を持ち、前記信号処理手段で処理された信号をファクシミリ通信装置の表示部に表示することを特徴とした請求項１に記載のファクシミリ通信装置。
【請求項３】
前述した請求項１又は、請求項２のドアホン装置からの映像信号を、ファクシミリ通信装置の表示部に表示した際に、必要とあらばその映像を記憶部に格納する手段を持ち、任意に表示することを特徴としたファクシミリ通信装置。
【請求項４】
前述した請求項１又は、請求項２のドアホン装置からの映像信号を、ファクシミリ通信装置の表示部に表示した際に、必要とあらばその映像を記録手段により印刷することを特徴としたファクシミリ通信装置。
【請求項５】
ファクシミリ通信装置は留守モード（留守番電話機機能）を具備し、留守設定の場合に
前述した請求項１又は、請求項２のドアホン装置からの映像信号を、ファクシミリ通信装置
の記憶部に格納する手段を持つことを特徴としたファクシミリ通信装置。
【発明の詳細な説明】
【技術分野】
【０００１】
本発明は、カメラ付きドアホン装置と接続可能としたファクシミリ通信装置であり、カメラで撮影された映像信号（訪問者）をファクシミリ通信装置の表示部に表示する機能と、その映像信号を記憶する機能と、その映像信号を記録部により印字する機能を具備したファクシミリ通信装置に関するものである。
【背景技術】
【０００２】
従来のファクシミリ通信装置においてドアホン装置と接続可能なものは、ドアホン装置からの音声信号の受信と、ファクシミリ通信装置からの音声信号の送信を行なう動作に対応しているものであった。
【０００３】
カメラ付きドアホン装置を接続する場合は、その装置のドアホンアダプターのモニターにてカメラからの映像信号を表示し、使用者がそのモニターで確認を行なっている。
【０００４】
音声信号においては、前述したようにドアホン装置とファクシミリ通信装置で送受を行なっている。
【０００５】
又、別の従来例としては、特許文献１をあげることが出来る。
【特許文献１】特開平07-038885号公報
【発明の開示】
【発明が解決しようとする課題】
【０００６】
しかしながら、前記した従来のファクシミリ通信装置では、カメラ付きドアホン装置と接続した場合に
（１）カメラからの映像信号（訪問者）を確認するには、ドアホンアダプターのモニターで確認するしか手段がないため、ドアホンアダプターの設置場所とファクシミリ通信装置の設置場所をできるだけ近くにするというような設置場所の制約がある。
【０００７】
（２）カメラが撮影した訪問者の映像を残すことが不可能である。
【０００８】
（３）同じくカメラが撮影した訪問者の映像を印字することも不可能である。
という不具合が発生していた。
【課題を解決するための手段】
【０００９】
本発明は、カメラ付きドアホン装置と接続した場合に、ドアホン装置からの音声信号だけでなく、カメラからの映像信号をもファクシミリ通信装置本体に取り込むことでファクシミリ通信装置の表示部にてドアホン装置のカメラが撮影した映像を表示しながら、ドアホン装置と音声信号の送信、受信  すなわち通話を可能とするものであり、なおかつファクシミリ通信装置本体の記憶部にカメラからの映像信号を記憶し、また記録部にて表示された映像を印字することを可能とするものである。
【発明の効果】
【００１０】
以上説明したように、本発明はカメラ付きドアホン装置と接続可能としたものであり、カラーカメラおよび白黒カメラのどちらにも対応可能とし、ドアホン装置と音声の通話だけでなく、カメラからの映像信号をファクシミリ通信装置の表示部に表示することを可能としたために、カメラの撮影した映像を確認しながらドアホン装置と通話を行なうことができる。
【００１１】
さらにファクシミリ通信装置本体の記憶部にカメラからの映像信号を記憶することも可能にし、記録部にて表示された映像を印字することも可能とした。
【発明を実施するための最良の形態】
【００１２】
次に、本発明の詳細を実施例の記述に従って説明する。
【００１３】
図１は、本発明の一実施例であるファクシミリ通信装置のブロック図である。
１がカメラ付きドアホンであり、２は、ドアホンアダプターで、３のＮＴＴ回線と１のドアホンからの映像信号および音声信号、制御信号が接続される。
【００１４】
４はＣＰＵであり、５のＲＯＭに格納された制御プログラムにしたがって装置全体を制御する。
【００１５】
６のＲＡＭは、４のＣＰＵのワークエリアとして使用されるとともに、各種データが格納される。
【００１６】
７の不揮発性ＲＡＭは、１０の操作部より入力された各種データを格納する等、２２の電源部がＯＦＦしても格納されたデータを記憶している。
【００１７】
８は接続部であり、３のＮＴＴ回線や２のドアホンアダプターからの信号線を接続する部分である。
【００１８】
９はＮＣＵ部であり、網制御を行ない、８の接続部と１１のモデム部との間でデータの送信、受信動作を制御する。
【００１９】
１０の操作部は、１０ＫｅｙやファンクションＫｅｙが配列され、ユーザが各種入力動作を行なうものである。
【００２０】
１１のモデム部は、３のＮＴＴ回線からの受信データやＮＴＴ回線に送出する送信データの変調、復調動作を行なう。
【００２１】
１２のＣ．Ｇ部は、キャラクタージェネレータであり、１３の表示制御部にデータを送る。
【００２２】
１３の表示制御部は、１９の表示部に文字や絵および１６の画像処理部で処理された画像を表示するものである。
【００２３】
１４の画像記憶部は、３のＮＴＴ回線経由で送られてくる受信画像データや１６の画像処理部で処理された画像データが記憶される。
【００２４】
１５は、Ｙ−Ｃ分離部で、１のカメラ付きドアホンから送られてくる映像信号（ビデオ信号）をY：輝度信号とＣ：色信号に分離する動作を行なう。
【００２５】
１６の画像処理部は、１５のＹ−Ｃ分離部で分離されたＹ信号とＣ信号を１３の表示制御部で制御できる信号に変換処理するところである。
【００２６】
１７の読取部は、原稿から画像を読み取る。
【００２７】
１８の音声処理部は、３のＮＴＴ回線を通して通話する場合や１のカメラ付きドアホンで通話する場合に、２１のハンドセットとの間で音声信号を送信、受信できるように信号処理を行なうところである。
【００２８】
２０の記録部は、３のＮＴＴ回線を介して受信した受信画像を印字したり、１７の読取部で読み取られた画像を印字したり、１のカメラ付きドアホンのカメラが撮影した画像を印字したりする。
【００２９】
２１は、ハンドセットであり、２２は電源部であり、各部分へ電源を供給している。
【００３０】
次に動作について説明する。
【００３１】
１のカメラ付きドアホンの呼び出しボタンを、訪問者が押下すると、２のドアホンアダプターから８の接続部へ、１のカメラ付きドアホンの呼び出しボタンが押下された信号が、送出される。
【００３２】
８の接続部がこの信号を検出すると、４のＣＰＵは、ドアホンの呼び出し音を発生させる（図１では、呼び出し音発生部は省略）とともに１２のＣ．Ｇ部および１３の表示制御部を制御して、１９の表示部にドアホンが押された旨を表示する。
【００３３】
ある一定時間後、１のカメラ付きドアホンのカメラで撮影された訪問者の映像信号が、２のドアホンアダプターを介して、８の接続部へ送られてくる。
【００３４】
映像信号は、８の接続部を経由して、１５のＹ−Ｃ分離部へ入力される。
【００３５】
カラーの映像信号であれば、Y：輝度信号とＣ：色信号に分離されて、１６の画像処理部へ出力される。
【００３６】
白黒カメラで撮影された白黒の映像信号は、Y：輝度信号成分のみなので１５のＹ−Ｃ分離部へ入力されても、Y信号として１６の画像処理部へ出力される。
【００３７】
１６の画像処理部で画像処理された信号は、１３の表示制御部へ送られ、１９の表示部にて、訪問者の映像として表示される。
【００３８】
使用者が、２１のハンドセットをＯＦＦ−ＨＯＯＫすると、８の接続部より２のドアホンアダプターに２１のハンドセットがＯＦＦ−ＨＯＯＫされて通話可能な状態である信号を送出する。
【００３９】
これにより使用者は、訪問者の映像を１９の表示部で確認しながら、２１のハンドセットで通話を行なうのである。
【００４０】
通話の経路としては、２１のハンドセットからの送話信号は、１８の音声処理部に入り、信号処理後、８の接続部を経由して、２のドアホンアダプターに入力され、１のカメラ付きドアホンのスピーカより出力される。
【００４１】
訪問者は、１のカメラ付きドアホンに向かって話すと、訪問者の送話信号として１のカメラ付きドアホンから２のドアホンアダプターに出力され、８の接続部へ出力される。
【００４２】
その信号は、８の接続部より、１８の音声処理部に入力され、信号処理後２１のハンドセットの受話部より音声として出力される。
【００４３】
通話が終了すると、使用者が２１のハンドセットをＯＮ−ＨＯＯＫする。
【００４４】
これを８の接続部が検出して、２１のハンドセットがＯＮ−ＨＯＯＫした旨の信号を２のドアホンアダプターに送出する。
【００４５】
２のドアホンアダプターは、１のカメラ付きドアホンに対して、通話終了にともないスタンバイ（待機）状態に戻るように制御する。
【００４６】
次は、ドアホンで通話中に訪問者の映像を印刷する動作について説明する。
【００４７】
使用者が、１のカメラ付きドアホンで訪問者と通話している時にこの訪問者の映像を印刷する場合には、１９の表示部に表示されている映像を確認しながら、１０の表示部にある印刷Ｋｅｙを押下する。
【００４８】
このとき１９の表示部の映像データが、１４の画像記憶部に記憶され、その内容に従って２０の記録部が印刷動作を行なう。
【００４９】
また、使用者が不在の場合は、１のカメラ付きドアホンの呼び出しボタンが押下された時に送られてくる画像データを、１５のＹ−Ｃ分離部、１６の画像処理部により画像処理して、１４の画像記憶部に記憶する。
【００５０】
通常２のドアホンアダプターは、１のカメラ付きドアホンの呼び出しボタンが押下されて、ある一定時間を過ぎても８の接続部より２１のハンドセットがＯＦＦ−ＨＯＯＫされた信号が来ない場合は、１のカメラ付きドアホンをスタンバイ状態にする制御を行なう。
【００５１】
そのため、ファクシミリ通信装置が留守モード等に設定されている場合に、４のＣＰＵが、上記のような１４の画像記憶部に画像データを記憶する制御を行なう。
【００５２】
使用者は、帰宅した時（ファクシミリ通信装置の留守モードを解除した時）に、訪問者の映像を１９の表示部にて確認することができる。
【００５３】
以上がカメラ付きドアホンとの通話時の説明である。
【００５４】
以上が図１を用いての一実施例の説明である。
【００５５】
図２と図３は、本特許の実施例の動作を示すフローチャートである。
【図面の簡単な説明】
【００５６】
【図１】本発明の一実施例を示した図面である。
【図２】本発明の一実施例に基づいたフローチャートである。
【図３】本発明の一実施例に基づいたフローチャートである。
【符号の説明】
【００５７】
１  カメラ付きドアホン
２  ドアホンアダプター
３  ＮＴＴ回線
４  ＣＰＵ
５  ＲＯＭ
６  ＲＡＭ
７  不揮発性ＲＡＭ
８  接続部
９  ＮＣＵ部
１０  操作部
１１  モデム部
１２  Ｃ．Ｇ部
１３  表示制御部
１４  画像記憶部
１５  Ｙ−Ｃ分離部
１６  画像処理部
１７  読取部
１８  音声処理部
１９  表示部
２０  記録部
２１  ハンドセット
２２  電源部
【図１】
2007088598.tif 000003
【図２】
2007088598.tif 000004
【図３】
2007088598.tif 000005